(57)【特許請求の範囲】
【請求項１】
複数個の同一長さの管体を継手によりジョイントさせて立体格子状の枠体を本体部として形成されてなる室内で遊戯可能な家庭用ジャングルジムであって、
着脱可能なブランコと、
前記枠体の側面から延設されて形成される空間を前記ブランコの吊り下げ空間とするブランコ空間と、
該ブランコ空間で前記ブランコを吊持するために架設され、前記枠体に一端が着脱可能とされるブランコ支持軸と、
該ブランコ支持軸の他端を着脱可能に軸止する三角支持部と、
該三角支持部を支持する２本の支柱パイプと、
前記支柱パイプの各下端に連結されて床面で平行に位置して、夫々が棒状で入れ子式の二重構造にして伸縮が可能な２本の平行な伸縮パイプと、
を備え、
前記ブランコ支持軸は、一端を前記三角支持部と相対する位置の前記枠体に設置する固定支持部に軸止され、他端を前記三角支持部に軸止され、
前記各伸縮パイプには、使用状態位置において、及び、使用状態位置から外して収納状態とする位置のときに、夫々の位置で固定することができるようにロック機構が設けられ、
前記収納状態とするために前記ブランコ及び前記ブランコ支持軸を外したとき、前記２本の伸縮パイプをスライドさせることにより、前記三角支持部及び支柱パイプを枠体直近へ平行移動可能としたことを特徴とする家庭用ジャングルジム。
【請求項２】
着脱された前記ブランコは、前記枠体の管体に掛止させて固定されることを特徴とする請求項１に記載の家庭用ジャングルジム。
【請求項３】
前記枠体に一体とされる滑り台と、該滑り台用の階段と、を更に備え、前記滑り台及び前記階段を使用状態位置から外したとき、前記滑り台及び前記階段を前記枠体の管体に掛止させて固定可能とされることを特徴とする請求項１又は請求項２に記載の家庭用ジャングルジム。
【発明の詳細な説明】
【技術分野】
【０００１】
本発明は、幼児が室内で遊ぶための遊具である家庭用ジャングルジムであって、ブランコや滑り台が一体とされ、組立式でしかも小型に収納可能な家庭用ジャングルジムに関する。
【背景技術】
【０００２】
従来、幼児が室内で使用する家庭用ジャングルジムには、管体を継手等にジョイントさせて立体格子状に連結したものがある。また、下記に示す特許文献１にはブランコが一体とされる家庭用ジャングルジムが開示されている。
【先行技術文献】
【特許文献】
【０００３】
【特許文献１】実開平５−１５９６８号公報
【発明の概要】
【発明が解決しようとする課題】
【０００４】
しかしながら、上述の特許文献１に示す家庭用ジャングルジムには、大型遊具ゆえに収納場所に困るという難点があった。また、組立や収納に多くの時間と労力を要するがゆえに、小さな子供を有する母親には作業が困難であった。
【０００５】
そこで、本発明はこのような従来技術の問題点に鑑みてなされたものであり、簡単でしかもコンパクトに収納でき、さらには子供の遊戯心を十分満足させることが可能な家庭用ジャングルジムを提供することを目的とする。
【課題を解決するための手段】
【０００６】
本発明の家庭用ジャングルジムは、管体を継手等にジョイントさせて立体格子状の枠体を本体部として形成されてなる室内で遊戯可能な家庭用ジャングルジムであって、着脱可能なブランコと、前記枠体の側面から延設されて形成される空間を前記ブランコの吊り下げ空間とするブランコ空間と、該ブランコ空間で前記ブランコを吊持するために架設され着脱可能なブランコ支持軸と、該ブランコ支持軸を軸止させる三角支持部と、該三角支持部を支持する支柱パイプと、床面で平行に位置して夫々が棒状の二重構造にして伸縮が可能な２つの伸縮パイプと、を備え、収納時に前記ブランコ及び前記ブランコ支持軸を外したとき、前記２つの伸縮パイプをスライドさせることにより、前記三角支持部及び支柱パイプを枠体直近へ移動可能としたことを特徴とする。
【０００７】
また、この家庭用ジャングルジムは、前記ブランコ支持軸が、一端を前記三角支持部と相対する位置の前記枠体に設置する固定支持部に軸止され、他端を前記三角支持部に軸止されることを特徴とする。
【０００８】
そして、この家庭用ジャングルジムにおいて、前記各伸縮パイプには、使用状態位置及び使用状態位置から外した収納状態位置のときに、夫々の位置で固定されるようにロック機構を設けることを特徴とする。
【０００９】
本発明の家庭用ジャングルジムにおいては、着脱された前記ブランコは、前記枠体の管体に掛止させて固定されることがある。
【００１０】
本発明の家庭用ジャングルジムにおいては、前記枠体に一体とされる滑り台と、該滑り台用の階段と、を更に備え、前記滑り台及び前記階段を使用状態位置から外したとき、前記滑り台及び前記階段を前記枠体の管体に掛止させて固定されることがある。
【発明の効果】
【００１１】
本発明によれば、簡単でしかもコンパクトに収納でき、使用する際には簡単に展開できることから、遊戯したいときに短時間でセットして、いつでも子供の遊戯心を十分満足させることが可能な家庭用ジャングルジムを提供することができる。
【００１２】
また、本発明の家庭用ジャングルジムによれば、ブランコを吊持するブランコ支持軸は、三角支持部及び固定支持部により回転しないように固定されているから、ブランコを安全に揺動させることができる。
【００１３】
また、本発明の家庭用ジャングルジムによれば、着脱された前記ブランコは前記枠体の管体に掛止させて固定させることにより、枠体と一体として収納されることから紛失を防止することができる。
【００１４】
さらに、本発明の家庭用ジャングルジムによれば、前記各伸縮パイプには使用状態位置及び使用状態位置から外した収納状態位置のときに、夫々の位置で固定されるようにロック機構を設けることから、使用中に誤ってスライドすることがなく安全である。
【００１５】
そして、本発明の家庭用ジャングルジムによれば、滑り台や階段を使用状態位置から外したときに、枠体の管体に掛止させて固定させることから、コンパクトに収納することができ、どこに片づけたかを忘れることがなく紛失を防止できる。
【図面の簡単な説明】
【００１６】
【図１】本発明の実施例に係るジャングルジムの外観斜視図である。
【図２】本発明の実施例に係るジャングルジムのパイプと継手との取り付け動作を示す説明図である。
【図３】本発明の実施例に係るジャングルジムのパイプと継手との取り外し動作を示す説明図である。
【図４】本発明の実施例に係るジャングルジムの固定支持部の説明図である。
【図５】本発明の実施例に係るジャングルジムの収納過程を示す外観斜視図である。
【図６】本発明の実施例に係るジャングルジムの収納時を示す外観斜視図である。
【図７】本発明の実施例に係るジャングルジムの伸縮パイプの構成を示す説明図である。
【図８】本発明の実施例に係る伸縮パイプのロック機構に関する説明図である。
【図９】本発明の実施例に係る伸縮パイプのロック機構に関する説明図である。
【図１０】本発明の実施例に係る伸縮パイプのスライド収納時の状態を示す説明図である。
【図１１】本発明の実施例に係るジャングルジムのブランコの取り付けに関する説明図である。
【図１２】本発明の実施例に係るブランコ支持軸の取り付けに関する説明図である。
【図１３】本発明の実施例に係るジャングルジムの滑り台、階段等の取り付けに関する説明図である。
【発明を実施するための形態】
【００１７】
本発明を実施するための形態を述べる。ジャングルジム10は、室内で遊戯可能な家庭用のジャングルジム10である。そして、このジャングルジム10は、管体であるパイプ12をジャングルジム用継手11にジョイントさせて立体格子状の枠体100を本体部として形成されてなる。また、ジャングルジム10は、着脱可能なブランコ20と、枠体100の側面から延設されて形成される空間をブランコ20の吊り下げ空間とするブランコ空間200とを備える。さらに、ジャングルジム10は、ブランコ空間200でブランコ20を吊持するために架設され着脱可能なブランコ支持軸21と、ブランコ支持軸21を軸止させる三角支持部40と、を備える。そして、ジャングルジム10は、三角支持部40の下方に向けてハの字状に配置される２本の金属製パイプからなり三角支持部40を支持する支柱パイプ41を有し、支柱パイプ41下端の支柱支持継手44と一体とされ床面で平行に位置して夫々が棒状の二重構造にして伸縮が可能な伸縮パイプ30を備える。
【００１８】
このジャングルジム10は、ブランコ20及びブランコ支持軸21を外したとき、２つの伸縮パイプ30をスライドさせることにより、三角支持部40及び支柱パイプ41を枠体100直近へ移動可能とされる。
【００１９】
また、ブランコ支持軸21は、一端を三角支持部40に軸止され、他端を三角支持部40と相対する位置の枠体100に設置する固定支持部70に軸止される。
【００２０】
さらに、使用状態位置から着脱されたブランコ20は、枠体100の管体に掛止させて固定される。
【００２１】
また、各伸縮パイプ30には、使用状態位置及び使用状態位置から外したときに、夫々所定の位置で固定されるようにロック機構を設ける。
【００２２】
そして、ジャングルジム10は、枠体100に一体とされる滑り台50と、滑り台50用の階段51と、を備える。その滑り台50及び階段51を使用状態位置から外したとき、滑り台50及び階段51を枠体100の管体に掛止させて固定される。
【実施例】
【００２３】
以下、本発明の実施例を図に基づいて詳説する。ジャングルジム10は、室内で遊戯可能な家庭用のジャングルジム10である。このジャングルジム10は、図１に示すように複数個の管体であるパイプ12がジャングルジム用継手11によって縦横自在に連結されることで、様々な形状とされる本体部である枠体100からなる子供用のジャングルジム10である。なお、本実施例のジャングルジム10における前後とは、図１におけるブランコ20の正面側を前方向とし、背面側を後方向とする。また、ジャングルジム10における左右とは、前方向に対しての左右方向とする。
【００２４】
そして、このジャングルジム10には、ブランコ20、滑り台50、階段51、ステップパネル52、暖簾18、独立した立方体60及びブランコ20を設置するための空間であるブランコ空間200にブランコ20を吊持させるための部材等を備える。
【００２５】
パイプ12は、合成樹脂製であって長さが約２８５ｍｍに揃えられた外径３２ｍｍ程度の直線円筒状に形成される。このように、複数個のパイプ12を同一長さとすることで、ジャングルジム10の様々な位置に自由にパイプ12を配置させ、任意形状のジャングルジム10を作ることができる。また、このジャングルジム10は、手摺り等に使用することのできる円弧状に湾曲したパイプも有する。
【００２６】
そして、このパイプ12の両端部における各々の近傍には、図２に示すようにジャングルジム用継手11に設けられるジョイント凸部11aと嵌合可能とされる４個のパイプ穴12aが周方向において等間隔となる位置に穿設されている。具体的には、この４個のパイプ穴12aは、各々直交する４方向に向ってパイプ12の内側から外側に貫通しており、且つ、直線状のパイプ12においては一端のパイプ穴12aの中心と他端のパイプ穴12aの中心とを結ぶ線がパイプ12の中心軸線と平行となるように配置される。
【００２７】
つまり、パイプ12は、ジャングルジム用継手11が挿入されることで、ジャングルジム用継手11のジョイント凸部11aがパイプ12のパイプ穴12aに嵌合してジャングルジム用継手11に装着される。そして、このようなパイプ12をジャングルジム用継手11によって縦横に連結することで本体部としての均整のとれたジャングルジム10が形成される。
【００２８】
ジャングルジム用継手11は、比較的軽く、強度及び剛性があり、且つ柔らかく曲げ疲労性に優れたポリプロピレン等の合成樹脂製であって、パイプ12が着脱自在に装着されるものである。
【００２９】
そして、ジャングルジム用継手11には複数の種類があり、図示しない継手軸が３方に分岐する第１継手と、４方分岐継手である第２継手と、５方分岐継手である第３継手と、６方分岐継手である第４継手等がある。
【００３０】
このジャングルジム10は、販売時には、解体された状態とされており、所定個数のジャングルジム用継手11と、所定個数のパイプ12と、図３に示すようにジャングルジム用継手11とパイプ12との取外しに用いられるペンチ型の取外し工具300と、滑り台50と、ブランコ20と、階段51と、ステップパネル52と、暖簾18等の付属品と、を１セットにして梱包して提供されるものである。
【００３１】
そして、組み立てられたジャングルジム10においてブランコ空間200には、図１に示したように伸縮パイプ30に接続される２つの支柱支持継手44、ハの字状に下方を開くように配置される２本の金属製パイプである支柱パイプ41及び頂部にある三角支持部40によって形成される右支持部を備える。また、ブランコ空間200は、三角支持部40と相対する位置に図４に示すような固定支持部70による左支持部を枠体100の一部に形成する。
【００３２】
固定支持部70は、四方に枠体100のパイプ12と係合する上部係合部70a、下部係合部70d、前部係合部70c及び後部係合部70bを有する。つまり、固定支持部70は、四方の係合部を介して枠体100の所定の位置に保持される。
【００３３】
上部係合部70aは、固定支持部70の上部に位置する枠体100の横向きのパイプ12に挿入させて接続させるパイプ係合部を備える。下部係合部70dは、固定支持部70の下部に位置する枠体100の横向きのパイプ12円周の上面に係合させる円形の凹部を有する係合部を備える。前部係合部70cは、固定支持部70の前部に位置する枠体100の縦向きのパイプ12に挿入させて接続させるパイプ係合部を備える。後部係合部70bは、固定支持部70の後部に位置する枠体100の縦向きのパイプ12に挿入させて接続させるパイプ係合部を備える。
【００３４】
そして、ブランコ空間200の上方には、図１に示したように左右支持部にブランコ20を吊持させるためのブランコ支持軸21が架設されている。さらに、ブランコ空間200の下方で２つの支柱支持継手44は、樹脂バンド45で結合されている。
【００３５】
そして、ブランコ支持軸21は、一端が三角支持部40に軸止され、他端が固定支持部70に軸止される。なお、ブランコ支持軸21は、三角支持部40及び固定支持部70にて回転止めピン23をブランコ支持軸21に設けた所定の孔に貫通させて回転しないように固定されて軸止されている。
【００３６】
ブランコ20の座席20bは、樹脂素材により一体成型して形成されており、子供一人が腰掛けられるように座席20bの底板の左右両側部と後部には連続した壁部が立設される。
【００３７】
そして、座席20bの左右の壁部上部では夫々に座席受けパイプ20aが図示しない螺子で螺着されて座席20bに固定されている。また、座席受けパイプ20aの上端は、ブランコ支持軸21が挿入されるブランコ吊持パネル20dに図示しない螺子で螺着されている。そして、座席20bには安全ベルト20cを設けている。
【００３８】
次に、ジャングルジム10の使用状態位置から各部を外して収納する流れについて説明する。ジャングルジム10を収納するにあたっては、先ずブランコ支持軸21及びブランコ20を取り外すこととする。さらに、滑り台50、階段51、ステップパネル52を取り外す。そして、ジャングルジム10は、ブランコ空間200において図５に示すように下方に位置する伸縮パイプ30を枠体100側にスライドさせることにより、右支持部が枠体100の周縁に添うようにして配置されることとなる。
【００３９】
次に、例えば、枠体100から着脱可能な立方体60を遊戯時に取り付けられた枠体100下部の位置から取り外して、図６に示すように枠体100上方のＬ字形状の窪み部分に配置させる。そして、配置された立方体60のパイプと、近設する枠体100のパイプ12とを結合させるために着脱可能な脱着式連結部材62により近設する夫々のパイプを結合させる。
【００４０】
次に、伸縮パイプ30をスライドさせてコンパクトにされたジャングルジム10に、予め取り外した滑り台50のパイプ掛止部分を、例えば、図６に示すように本体部である枠体100の短辺側側面の最上段のパイプ12に掛止させて滑り台50を垂設させる。
【００４１】
また、予め取り外した階段51のパイプ掛止部分を、例えば、本体部である枠体100の長辺側側面の最上段のパイプ12に掛止させて階段51を垂設させる。ステップパネル52については、枠体100内部で４本のパイプ12で形成される水平面の何れかに掛止させる。
【００４２】
そして、収納において滑り台50、階段51及びステップパネル52を所定の位置に掛止させた枠体100に、予め取り外したブランコ20を、例えば、枠体100の最上段の上面に載設させる。具体的には、ブランコ20を枠体100の最上段に横設し、ブランコ20上部に位置するブランコ吊持パネル20dの突起部を図６に示したように既に掛止された滑り台50のパイプ掛止部分近傍にある長方形の穴に挿入することにより、ブランコ20は、枠体100最上段を覆設するように設置される。
【００４３】
なお、ジャングルジム10は、管体であるパイプ12をジャングルジム用継手11にジョイントさせて自在な形状の立体格子状の枠体100として形成されることから、図１、図４及び図５等に示す形状に限るものではない。
【００４４】
ここで、ジャングルジム10の伸縮パイプ30の構成について図を用いて詳細に説明する。図７は、伸縮パイプ30を展開させた状態における各部の構成を示す説明図である。
【００４５】
ジャングルジム10の伸縮パイプ30は、図７に示すように金属製の床面パイプ30a、樹脂製の収納パイプ31により構成される。また、伸縮パイプ30には、ロック機構として床面パイプロック32を有し、伸縮パイプ30の近傍の枠体100には、スライドストッパー33、収納パイプ連結部材34を有する。
【００４６】
床面パイプロック32は、収納パイプ31の先端側（右側）に設置されて、床面パイプ30aと収納パイプ31とを結合させる突起32d（図８参照）を有するフック部を有する。そして、床面パイプロック32のフック部は、収納時には床面パイプ30aの先端側（右側）に設けた係合切り欠き穴32aと係止され、展開時には収納パイプ31内に位置する床面パイプ30aの後端側（左側）に設けた図示されない係合切り欠き穴と係止される。
【００４７】
スライドストッパー33は、後述するブランコ空間用継手35の近傍で枠体100と一体とされており、略１８０度回動可能なストッパー部を有する。ストッパー部が伸縮パイプ30の展開時に収納パイプ31の後端側に回動されて、図９に示すように収納パイプ31の中心軸延長位置に配置されることにより、伸縮パイプ30を固定させる。
【００４８】
収納パイプ連結部材34は、ブランコ空間用継手35近傍に配置され結合部として回動可能な略半円柱形状のフック部を有する。収納パイプ連結部材34のフック部は、収納時には収納パイプ31の先端側円周部分を係止させて収納パイプ31とブランコ空間用継手35とを結合させ、展開時には収納パイプ31の後端側円周部分を係止させて収納パイプ31とブランコ空間用継手35とを結合させる。
【００４９】
ブランコ空間用継手35は、枠体100の左支持部の下端角に配置されるジャングルジム用継手であり、パイプ12をジョイントさせる継手軸が３方に分岐しており、３方にパイプ12が装着される。また、ブランコ空間用継手35は、継手軸の前方に中空円柱ガイド部を有しており、その中空部分ガイド部に伸縮パイプ30を挿入させて伸縮パイプ30を軸方向にスライドさせることができる。
【００５０】
ここで、伸縮パイプ30のロック機構を解除する一連の流れについて図を用いて説明する。図８、図９は、伸縮パイプ30のロック機構を解除する一連の流れを示す説明図である。さらに、図１０は、伸縮パイプ30の収納時の状態における各部の構成を示す説明図である。
【００５１】
伸縮パイプ30は、図８（ａ）に示す展開状態から先ず図８（ｂ）に示すように床面パイプロック32の略半円形状の内側に設けた突起32dを有するフック部を開き、図示されない後端側の係合切り欠き穴との係合を解除させることにより突起32dで係合していた床面パイプロック32と床面パイプ30aとの結合を解除して、床面パイプ30aを収納パイプ31側にスライドさせることができる。そして、伸縮パイプ30は、図８（ｃ）に示すように床面パイプ30aを収納パイプ31側で停止するまでスライドさせることにより、床面パイプ30aが収納パイプ31に埋設された状態となる。
【００５２】
伸縮パイプ30は、床面パイプ30aが収納パイプ31に埋設された状態で図８（ｄ）に示すように、床面パイプロック32の略半円形状の突起32dを有するフック部を床面パイプ30aの先端側の係合切り欠き穴32aに係合させることにより、収納パイプ31内に埋設された床面パイプ30aの突出を防ぎ、その状態を保持する。
【００５３】
続いて、伸縮パイプ30は、図９（ａ）に示す収納パイプ31内に床面パイプ30aを埋設した状態から図９（ｂ）に示すようにスライドストッパー33を９０度上方に向けて回動させることにより、収納パイプ31の後端の係止が解除され、収納パイプ31を収納方向にスライドさせることが可能となる。
【００５４】
そして、伸縮パイプ30は、図９（ｃ）に示すように収納方向で停止する所までスライドさせ、収納パイプ連結部材34により収納パイプ31と本体部である枠体100の角に設置されるブランコ空間用継手35とを結合させて固定させることにより、伸縮パイプ30は図１０に示すように枠体100の周縁に添うようにして平行に配置される。
【００５５】
伸縮パイプ30が収納されると右支持部は、枠体100に添うように配置される。そして、伸縮パイプ30は、収納されて先述のロック機構である床面パイプロック32及び収納パイプ連結部材34を夫々収納パイプ31との所定の位置で係合させることによりその状態を保持させる。
【００５６】
次に、ジャングルジム10におけるブランコ20の取り付けについて図を用いて説明する。図１１は、ブランコ20とブランコ支持軸21との取り付けに関する説明図である。図１２は、ブランコ支持軸21を架設する三角支持部40及び固定支持部70におけるブランコ支持軸21の取り付けに関する説明図である。
【００５７】
ジャングルジム10におけるブランコ20の取り付けは、先ず図１１に示すようにブランコ20のブランコ吊持パネル20dの左右に設けられた挿入穴にブランコ支持軸21を挿入し、各挿入穴の外側にブランコ20位置固定用のストッパー22をブランコ支持軸21に併せて挿入する。ストッパー22を配置することにより、吊持されるブランコ20は、左右に位置ずれを生じることなく揺動可能とされる。
【００５８】
そして、ブランコ20にブランコ支持軸21とストッパー22を挿入した状態で、図１２に示すようにブランコ空間200における三角支持部40及び固定支持部70の所定の嵌合部にブランコ支持軸21を嵌合させ、三角支持部40及び固定支持部70の各上方に位置する回転止めピン23の挿入穴から回転止めピン23を挿入する。
【００５９】
回転止めピン23の挿入後に、所定の位置に回転止めピン23の抜け防止用の螺子24とワッシャー25とを留めることにより、ブランコ20の取り付け完成となる。なお、ブランコ20を取り外す際には、螺着された螺子24とワッシャー25とを取り外し、回転止めピン23を上方に抜脱させることにより、ブランコ支持軸21を取り外すことができる。
【００６０】
次に、ジャングルジム10における滑り台50、階段51及びステップパネル52の取り付け及び取り外しについて図を用いて説明する。図１３は、枠体100への滑り台50、階段51及びステップパネル52の取り付けに関する説明図である。
【００６１】
ジャングルジム10は、先述のとおり枠体100に取り付け可能な滑り台50、階段51及びステップパネル52を備える。滑り台50及び階段51は、図１３に示すように枠体100を形成するパイプ12の円周部分に係合されるようにして掛止される。なお、図１に示したように枠体100のパイプ12に係合されて掛止される滑り台50及び階段51は、上方向に張力をかけることにより係合が外れ掛止が解除されて取り外すことができる。
【００６２】
ステップパネル52は、樹脂製の四角形状をしており、階段51を登って滑り台50で降下する際の足踏み場として機能する。そして、ステップパネル52は、枠体100の所定の水平面で４本のパイプ12からなる四角形状部分に嵌めこむようにして掛止される。なお、ステップパネル52は上方向に張力をかけることにより掛止が解除されて取り外せる。
【００６３】
以上のように本発明の家庭用ジャングルジム10によれば、簡単でしかもコンパクトに収納でき、使用する際には簡単に展開できることから、遊戯したいときに短時間でセットして、いつでも子供の遊戯心を十分満足させることができる。
【００６４】
また、本発明の家庭用ジャングルジム10によれば、ブランコ20を吊持するブランコ支持軸21は、三角支持部40及び固定支持部70により回転しないように固定されているから、ブランコ20を安全に揺動させることができる。
【００６５】
そして、本発明の家庭用ジャングルジム10によれば、三角支持部40、支柱パイプ41及び支柱支持継手44は、ブランコ20及びブランコ支持軸21を外して各伸縮パイプ30をスライドさせると、伸縮パイプ30と一体となってスライドし、枠体100の周縁に添うようにして配置されることから、コンパクトな収納を可能にする。
【００６６】
また、本発明の家庭用ジャングルジム10によれば、着脱されたブランコ20は枠体100の管体に掛止させて固定させることにより、枠体100と一体として収納されることから紛失を防止することができる。
【００６７】
さらに、本発明の家庭用ジャングルジム10によれば、各伸縮パイプ30は使用状態位置及び使用状態位置から外したときに、夫々所定の位置で固定されるようにロック機構を備えることから、使用中に誤ってスライドすることがなく安全である。
【００６８】
そして、本発明の家庭用ジャングルジム10によれば、滑り台50や階段51を収納時に枠体100のパイプ12に掛止させて固定させることから、コンパクトに収納することができ、どこに片づけたかを忘れることがなく紛失を防止できる。
【００６９】
また、本発明は、以上の実施例に限定されるものでなく、発明の要旨を逸脱しない範囲で自由に変更、改良が可能である。
【符号の説明】
【００７０】
10  ジャングルジム
11  ジャングルジム用継手                 11a  ジョイント凸部
12  パイプ                               12a  パイプ穴
18  暖簾
20  ブランコ                             20a  座席受けパイプ
20b  座席                                20c  安全ベルト
20d  ブランコ吊持パネル
21  ブランコ支持軸                       22  ストッパー
23  回転止めピン                         24  螺子
25  ワッシャー
30  伸縮パイプ                           30a  床面パイプ
31  収納パイプ                           32  床面パイプロック
32a 係合切り欠き穴                       32d 突起
33  スライドストッパー                   34  収納パイプ連結部材
35  ブランコ空間用継手
40  三角支持部                           41  支柱パイプ
44  支柱支持継手                         45  樹脂バンド
50  滑り台                               51  階段
52  ステップパネル
60  立方体                               62  脱着式連結部材
70  固定支持部                           70a 上部係合部
70b 後部係合部                           70c 前部係合部
70d 下部係合部
100  枠体
200  ブランコ空間                       300  取り外し工具
【図１】
0005658551.tif 000002
【図２】
0005658551.tif 000003
【図３】
0005658551.tif 000004
【図４】
0005658551.tif 000005
【図５】
0005658551.tif 000006
【図６】
0005658551.tif 000007
【図７】
0005658551.tif 000008
【図８】
0005658551.tif 000009
【図９】
0005658551.tif 000010
【図１０】
0005658551.tif 000011
【図１１】
0005658551.tif 000012
【図１２】
0005658551.tif 000013
【図１３】
0005658551.tif 000014